(57)【要約】【課題】ハンドホール内への雨水、地中水等の浸入を阻止し、地上面で露出する上部蓋及びこれの周縁部分からの雨水等の浸入を防止し、ハンドホール内に雨水等を溜めない。【解決手段】上部蓋１５を地上面に位置させて地中に埋設するハンドホールのボックス本体１上部の出入口６に防水機構２０を配置する。防水機構２０は、出入口６の内周縁に支持して、下方に至るに伴い次第に窄まる支持受面２３を内周に形成してある中受枠２１と、中受枠２１内に水密的に嵌め合わせて、出入口６を閉塞する中上蓋２６と、中上蓋２６の揺転を阻止して中上蓋２６の周縁で中受枠２１の上面に係止するストッパー３１とを備える。中上蓋２６は、外周縁が支持受面２３の傾斜角度に対応し、支持受面２３に弾性作用で密着するＯリング２８を封入する封入溝２７を外周縁に設ける。ストッパー３１は、中上蓋２６、中受枠２１それぞれの上面相互間に架け渡して中上蓋２６に固着する。【選択図】図１
2018193699.tif 000002
【特許請求の範囲】
【請求項１】
上部蓋を地上面に位置させて地中に埋設されるハンドホールにおいて、ボックス本体の上部に開口形成されている出入口に防水機構が配置されていて、この防水機構は、出入口の内周縁で支持され、下方に至るに伴い次第に窄まるようになっている支持受面が内周に形成されている中受枠と、この中受枠内に水密的に嵌め合わせられ、出入口を閉塞する中上蓋と、この中上蓋の揺転を阻止するよう中上蓋の周縁で中受枠の上面に係止しているストッパーとを備えて成ることを特徴とするハンドホール。
【請求項２】
中上蓋は、外周縁が支持受面の傾斜角度にほぼ対応していて、支持受面に弾性作用で密着するＯリングを封入する封入溝が外周縁に設けられている請求項１に記載のハンドホール。
【請求項３】
ストッパーは、中上蓋の周縁で、中上蓋、中受枠それぞれの上面相互間に架け渡されるよう外方に突出して中上蓋に固着されている請求項１または２に記載のハンドホール。
【請求項４】
ボックス本体は、底部壁の辺縁に立脚させた周囲壁が一体状に連設形成されているベースボックスと、このベースボックスの上部に重ねられる適数の筒状の継胴と、最上段の継胴の上部に載置され、上部壁に出入口が開口形成されていて、ベースボックス、継胴を覆うカバーボックスとから成り、ベースボックス、継胴、カバーボックス相互間の接続部位は、溝状の接続雌部と突条状の接続雄部とが相互に噛み合うようにしてあると共に防水処理材が充填封入されている請求項１乃至３のいずれかに記載のハンドホール。
【請求項５】
中上蓋には、防塵・防水機能を有してボックス本体の内外を通気させる通気手段を設けてある請求項１乃至４のいずれかに記載のハンドホール。
【発明の詳細な説明】
【技術分野】
【０００１】
本発明は、地上面に上部蓋が露出した状態で地中に埋設されるハンドホールにおいて、特に上部蓋を経ての雨水や地中における周囲壁からの浸透水等に対する防水処理が施されたハンドホールに関する。
【背景技術】
【０００２】
従来から、地中に配線される各種ケーブルの接続工事やそれらの接続部保護のために地中にハンドホールと称される地中埋設ボックスが埋設されている。このハンドホールはその上部蓋が地上面に露出された状態で地中に埋設され、また地中に配線される各種ケーブル類を保護収容している配管等が周囲壁に貫挿されることで接続されている。そのため、地上では雨水その他の、また地中では地中水等のハンドホール内への浸入を阻止し、ケーブル等の接続部、内部機器その他を保護しておかなければならない。
【０００３】
また、ハンドホール自体はケーブルの接続機器その他を収納するに足りる所定の容積を備えている必要があるから、深さや周囲長さが比較的に大型に構成されることが多く、埋設現場において組み立てて構成されることがある。こうした組立式の場合には、組立部材相互間で生じる間隙によって地中水等が浸透することがあるから、その間隙に防水処理を施す必要もある。
【０００４】
こうしたことから従来は、例えば特許文献１に示されるハンドホールでは、埋設現場で組立構築されるパネル相互間の当接部分に防水材を挟着している。特許文献２に示されるハンドホールのケーブル支持装置では、ハンドホールの壁部に貫挿接続されるケーブル挿通管の挿通部分に防水パッキン、充填材を配している。
【先行技術文献】
【特許文献】
【０００５】
【特許文献１】特開２００５−３００４４号公報
【特許文献２】登録実用新案第３１６８６９８号公報
【発明の概要】
【発明が解決しようとする課題】
【０００６】
これらの従来のハンドホールにおける防水処理は、ハンドホールを構成する周囲壁のパネル相互間、また周囲壁に対する接続管の貫挿部位それぞれであるから、いずれも地中水に対する防水処理である。ところがハンドホール自体は、その上部蓋が地上面に露出しているため、この上部蓋及びこの上部蓋周縁とハンドホールの上部壁との間隙が防水処理されていても、交通往来その他の外部から与えられる振動、衝撃等によって防水処理が毀損されることがある。また、地中の埋設部分である周囲壁、接続管の貫挿部位からも地中水等が浸入してハンドホール内に溜まり、ハンドホール内の機器等の点検時ではそれらを排水しなければならず、面倒なものであった。
【０００７】
そこで本発明は上述したような従来存した諸事情に鑑み創出されたもので、ハンドホール内への雨水、地中水等の浸入を防止し、特に地上面で露出する上部蓋及びこれの周縁部分からの雨水等の浸入を防止し、ハンドホール内をドライエリアとして維持できるようにしたハンドホールを提供することにある。
【課題を解決するための手段】
【０００８】
上述した課題を解決するため、本発明にあっては、後述する発明を実施するための形態における使用符号を付記して説明すると、上部蓋１５を地上面に位置させて地中に埋設されるハンドホールにおいて、ボックス本体１の上部に開口形成されている出入口６に防水機構２０が配置されていて、この防水機構２０は、出入口６の内周縁で支持され、下方に至るに伴い次第に窄まるようになっている支持受面２３が内周に形成されている中受枠２１と、この中受枠２１内に水密的に嵌め合わせられ、出入口６を閉塞する中上蓋２６と、この中上蓋２６の揺転を阻止するよう中上蓋２６の周縁で中受枠２１の上面に係止しているストッパー３１とを備えて成ることを特徴とする。
中上蓋２６は、外周縁が支持受面２３の傾斜角度にほぼ対応していて、支持受面２３に弾性作用で密着するＯリング２８を封入する封入溝２７が外周縁に設けられて構成することができる。
ストッパー３１は、中上蓋２６の周縁で、中上蓋２６、中受枠２１それぞれの上面相互間に架け渡されるよう外方に突出して中上蓋２６に固着されて構成することができる。
ボックス本体１は、底部壁の辺縁に立脚させた周囲壁が一体状に連設形成されているベースボックス２と、このベースボックス２の上部に重ねられる適数の筒状の継胴４と、最上段の継胴４の上部に載置され、上部壁に出入口６が開口形成されていて、ベースボックス２、継胴４を覆うカバーボックス５とから成り、ベースボックス２、継胴４、カバーボックス５相互間の接続部位は、溝状の接続雌部７と突条状の接続雄部８とが相互に噛み合うようにしてあると共に防水処理材９が充填封入されていることで構成することができる。
中上蓋２６には、防塵・防水機能を有してボックス本体１の内外を通気させる通気手段３３を設けて構成することができる。
【０００９】
以上のように構成された本発明に係るハンドホールにあって、上部蓋１５が地上面に位置された状態で埋設されたハンドホールにおいて、例えば上部蓋１５周縁に存する間隙から浸入する雨水等があっても、防水機構２０はボックス本体１内への雨水等の侵入を阻止させ、ボックス本体１内に雨水等を溜めさせない。
防水機構２０において、出入口６の内周縁で支持された中受枠２１に水密的に嵌め合わせられたの中上蓋２６は、中受枠２１に密着するＯリング２８と相俟ち、上部蓋１５下方に浸入する雨水等のボックス本体１内への浸入を阻止させている。
中上蓋２６の周縁のストッパー３１は、この中上蓋２６を支持している中受枠２１の上面に係止していることで、中上蓋２６のいずれかの縁部位が押圧されても中上蓋２６は一部でも中受枠２１内に沈み込まず、反転せず、施蓋状態を維持させる。
また、ベースボックス２、継胴４、カバーボックス５によって組み立てられるボックス本体１は、それらの接続部位が接続雌部７、接続雄部８相互の噛み合いと共に充填封入された防水処理材９が組立接合部分の間隙における例えば地中水等の浸入を阻止させる。
通気手段３３は、防塵・防水を図りながらボックス本体１内外で通気させ、ボックス本体１内の気圧を外気とほぼ同一にさせる。
【発明の効果】
【００１０】
本発明は以上説明したように構成されているため、地上面に上部蓋１５が位置して埋設されているハンドホールにおいて、上部蓋１５の周縁から浸入する雨水等があっても防水機構２０によってボックス本体１内への雨水の侵入が阻止され、ボックス本体１内に雨水等が溜まることがなく、いわばドライエリア状態で維持される。
【００１１】
すなわちこれは本発明において、ボックス本体１の出入口６に配置した防水機構２０が、出入口６の内周縁で支持され、下方に至るに伴い窄まる支持受面２３が内周に形成されている中受枠２１と、中受枠２１内に水密的に嵌め合わせられ、出入口６を閉塞する中上蓋２６と、この中上蓋２６の揺転を阻止するストッパー３１とを備えて成るからである。これによって、ボックス本体１内への雨水等の侵入阻止はもとより、例えば中受枠２１に嵌め入れた中上蓋２６の不意な反転を阻止してボックス本体１の施蓋状態を維持する。
【００１２】
また、防水機構２０における中上蓋２６は、外周縁が中上蓋２６を支持する中受枠２１の支持受面２３の傾斜角度にほぼ対応していて、支持受面２３に弾性作用で密着するＯリング２８を封入する封入溝２７が外周縁に設けられていることで、中上蓋２６は中受枠２１内でしっかりと水密状態で支持され、中上蓋２６上に落下する雨水等がこの間隙からボックス本体１内に浸出することもない。
【００１３】
ストッパー３１は、中上蓋２６の周縁で、中上蓋２６、中受枠２１それぞれの上面相互間に架け渡されて外方に突出して中上蓋２６に固着されていることで、中上蓋２６のいずれかの縁部にでも、例えば作業員が乗ったり、資材その他が載せられたりしても、その重量によって中上蓋２６が沈み込んだり、反転したりすることがなく安全である。
【００１４】
また、ボックス本体１は、ベースボックス２、適数の継胴４、カバーボックス５によって組み立てられるときのベースボックス２、継胴４、カバーボックス５相互間の接続部位は、溝状の接続雌部７と突条状の接続雄部８とが相互に噛み合うようにしてあると共に防水処理材９が充填封入されていることで、これらの接合部分における間隙を経ての例えば地中水等がボックス本体１内に浸入することがなく、防水機構２０と相俟ってボックス本体１内に雨水、地中水等が溜まることがない。
【００１５】
中上蓋２６には防塵・防水機能がある通気手段３３が設けられることで、ボックス本体１内への塵埃の侵入、雨水の浸入等を図りながら、ボックス本体１内の雰囲気等を外気と同程度に維持でき、例えば夏場における高温化等を防止でき、また、ボックス本体１内の空気膨張、負圧現象をも防止でき、例えば点検時の中上蓋２６の開放作業、内部の点検作業等を妨げないようにもできる。
【００１６】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１７】
【図１】本発明を実施するための一形態を示す分解斜視図である。
【図２】同じく要部断面図である。
【図３】同じく防水用の中上蓋の装着状態を示すもので、後述する図４におけるＢ−Ｂ線に沿う一部省略の断面図である。
【図４】同じく中上蓋の平面図である。
【図５】同じく中上蓋に設けた通気手段を示すもので、図３におけるＡ部分の拡大断面図である。
【発明を実施するための形態】
【００１８】
以下、図面を参照して本発明を実施するための一形態を説明すると、図において示される符号１は地中に埋設されるハンドホールのボックス本体であり、このボックス本体１は、例えば平面で矩形状を呈していて、底部壁の辺縁に立脚させた周囲壁が一体状に連設形成されているベースボックス２と、このベースボックス２の上部に重ねられる適数の例えば矩形筒状の継胴４と、最上段のたと継胴４の上部に載置され、上部壁に出入口６が開口形成されていて、ベースボックス２、継胴４等を覆うカバーボックス５とから成る。
【００１９】
このボックス本体１において、ベースボックス２の周囲壁には、ハンドホール内部に引込通線される各種ケーブル類（図示せず）を収容している管路材Ｐが、周囲壁に開口された貫挿孔３に貫挿接続されており、貫挿孔３内に挿通された管路材Ｐの外周には防水用の粘性状の防水処理材９例えば水膨潤型樹脂製止水剤が貫挿孔３との間で充填封入されるようしてある。
【００２０】
ベースボックス２と継胴４との間の相互の当接面、例えばベースボックス２における矩形枠状で連続している上面と継胴４における同様な下面との間で、下位のベースボックス２がわでは例えば断面で凹部状を呈する溝状の接続雌部７と、上位の継胴４がわでは接続雌部７に対応合致して相互で噛み合うように、接続雌部７の断面形状に対応した突条状を呈する接続雄部８とが形成されている。また、このような接続雌部７、接続雄部８それぞれによる噛み合い形態は、継胴４同士間、継胴４とカバーボックス５との間でも同様に形成されている。そして、これらの接続雌部７、接続雄部８相互間の噛み合い部分には、例えば適宜肉厚の細帯板状のブチルゴム製のシール材、防水用の粘性状の防水処理材９例えば水膨潤型樹脂製止水剤等のいずれか、あるいはこれらが併用されて充填封入されるようにしてある。
【００２１】
カバーボックス５の出入口６に対応して、埋設場所における地上面との高さ調整のための円枠状の嵩上げリング体１０が必要に応じた適数にして重ねられ、カバーボックス５の上部壁面上でカバーボックス５に適当な固定手段（図示を省略）によって固定されるようになっている。
【００２２】
また、この嵩上げリング体１０の上部あるいはカバーボックス５の上部に蓋支持リング体１１が固定連結されており、この蓋支持リング体１１には、前記出入口６に通じる開口部の内周縁に形成した段部状の支持段部１２にリング状の受け枠１３が載置されており、この受け枠１３にハンドホール自体の蓋となる上部蓋１５が防水パッキンを介在させて着脱自在に嵌合装着されるようにしてある。
【００２３】
そして、この上部蓋１５の下方に位置させて配置した防水機構２０によって、ボックス本体１の開口部である出入口６を覆い、ボックス本体１内への雨水等の浸入を防止するようにしている。この防水機構２０は、ボックス本体１の出入口６の内周縁で支持され、下方に至るに伴い次第に窄まるようになっている支持受面２３が内周に形成されている中受枠２１と、この中受枠２１内に水密的に嵌め合わせられ、出入口６を閉塞する中上蓋２６と、この中上蓋２６の揺転を阻止するよう中上蓋２６の周縁で中受枠２１の上面に係止しているストッパー３１とを備えて成る。
【００２４】
中受枠２１は、出入口６の内周縁に沿っている縦枠状のリング部２２と、ボックス本体１の出入口６における周縁面に載置されるよう外周縁に設けた支持フランジ部２４とから断面で倒Ｔ字形を呈して形成されている。また、リング部２２の内周面には、中受枠２１の内周側に向かってリング部２２自体の内径を窄めるように傾斜している前記支持受面２３が少なくとも内周面の上部に形成されている。
【００２５】
なお、この中受枠２１が支持フランジ部２４によって出入口６の周縁面に載置されるとき、周縁面と支持フランジ部２４との間に生じていることがある凹凸面を緩衝させる防水パッキン材２５を、必要があれば防水処理材９例えば水膨潤型樹脂製止水剤と共にこれらの間に介装して密着できるようにしている。図示の実施の形態では、支持フランジ部２４は、カバーボックス５と嵩上げリング体１０との間に挟まれるようにしてあるも、嵩上げリング体１０が使用されない場合には、カバーボックス５と蓋支持リング体１１との間で挟まれるものとなる（図示せず）。
【００２６】
中上蓋２６は、中受枠２１の内周縁内にしっくりと嵌め入られるような外径を備えていて、外周縁は支持受面２３の傾斜角度にほぼ対応している。また、外周縁には、支持受面２３との間での密封性を維持するための断面が例えば円形を呈する所定径のＯリング２８を封入する封入溝２７が設けられていて、封入したＯリング２８が封入溝２７から僅かに外出して支持受面２３に弾性作用で密着するようにしている。
【００２７】
なお、中上蓋２６には、この中上蓋２６自体を懸垂し、移動調整するために引っ掛けられる係止バー２９が設けられている。
【００２８】
ストッパー３１は、中上蓋２６の周縁で、中上蓋２６、中受枠２１それぞれの上面相互間に架け渡されるように、外方に突出するように中上蓋２６に例えばネジ止め等で固着されていて、例えば平面で円形状を呈する中上蓋２６にほぼ９０度間隔で配されている。中上蓋２６の外方に突出している部分が中受枠２１の上面に当接することによって、例えばストッパー３１位置と対象的位置にある部位で上方からの押圧作用が付与されてもストッパー３１が反対がわの中受枠２１自体の浮き上がり、更には反転すること等を防止している。
【００２９】
また、中上蓋２６には、中上蓋２６自体を通じてボックス本体１内外を通気させる通気手段３３を設けてあり、この通気手段３３は、図３、図５に示すように例えばストッパー３１と中上蓋２６部位とに対応合致させて共通する通気孔３４を開穿すると共に、中上蓋２６とストッパー３１との間に介装した取付シート３５と共に、防水・防塵が可能で通気性ある多孔質膜構造の防水・防塵・通気シート材３６（例えば日東電工株式会社製の「ＴＥＭＩＳＨ」…登録商標）を配装して成る。こうすることで、ボックス本体１内外の気圧差を自動的に調整してボックス本体１内の空気膨張、負圧現象を防止し、例えば点検時の中上蓋２６の開放作業を妨げないようにしている。
【００３０】
なお、必要があれば、このストッパー３１のいずれかの裏面には、例えば所定の作業工具の端部がストッパー３１に差し入れられる切欠部分３２が形成されている（図３における左部分参照）ことで、この所定の工具によって中上蓋２６を持ち上げ、開くことができるようにしている。
【００３１】
次に以上のように構成されているハンドホール自体の組立を説明すると、各種ケーブルの地中配線その他に対応して埋設すべき箇所において、掘削された埋設穴内で順次に組み立てるのであり、相互間の接合部位には防水処理を施しながらをベースボックス２、継胴４、カバーボックス５等によってボックス本体１を組み立てる。組み立てたボックス本体１のカバーボックスにおける出入口６には防水機構２０を配装するのであり、出入口６の周縁に防水処理を施した支持フランジ部２４を載置することで中受枠２１を嵌め合わせし、嵌め合わせた中受枠２１内にその支持受面２３によって中上蓋２６を嵌め入れれば良い。そして、必要があれば嵩上げリング体１０を介して、蓋支持リング体１１によって上部蓋１５によって出入口６を閉塞することで、組み立てを完了する。
【００３２】
こうすることで、ハンドホールにおいて地上面に位置する上部蓋１５を経て浸入する雨水等は上部蓋１５の下方に配装された中上蓋２６を備えた防水機構２０によって阻止され、ボックス本体１内に浸入しない。また、地中水等はボックス本体１を構成するベースボックス２、継胴４、カバーボックス５等の防水処理が施された接合部位からは同様に浸入することはなく、ボックス本体１内のドライエリア状態を維持する。
【符号の説明】
【００３３】
Ｐ…管路材
１…ボックス本体                        ２…ベースボックス
３…貫挿孔                              ４…継胴
５…カバーボックス                      ６…出入口
７…接続雌部                            ８…接続雄部
９…防水処理材                          １０…嵩上げリング体
１１…蓋支持リング体                    １２…支持段部
１３…受け枠                            １５…上部蓋
２０…防水機構                          ２１…中受枠
２２…リング部                          ２３…支持受面
２４…支持フランジ部                    ２５…防水パッキン材
２６…中上蓋                            ２７…封入溝
２８…Ｏリング                          ２９…係止バー
３１…ストッパー                        ３２…切欠部分
３３…通気手段                          ３４…通気孔
３５…取付シート                        ３６…防水・防塵・通気シート材
【図１】
2018193699.tif 000003
【図２】
2018193699.tif 000004
【図３】
2018193699.tif 000005
【図４】
2018193699.tif 000006
【図５】
2018193699.tif 000007